(57)【特許請求の範囲】
【請求項１】
電解的に生成された塩素オキシアニオンの溶液を利用する自動再循環または単一経路クリーニング用途で使用するための制御システムであって、
（ａ）電解溶液と、
（ｂ）塩素センサーと流体連通して接続された該電解溶液の第１の部分と、
（ｃ）該電解溶液の第１の部分と流体連通して接続され、該電解溶液の第１の部分を５．５〜７．５の安定化されたｐＨに保ち、１０ｐｐｍ〜２００ｐｐｍの塩素オキシアニオン濃度の正確な測定を可能にするｐＨ調整剤と、
（ｄ）該ｐＨ調整剤を提供するために、該電解溶液の第１の部分と流体連通して接続された少なくとも１つの流量制御弁と、
（ｅ）該システムから目標とされる塩素オキシアニオン濃度を得るために、該電解溶液への電解溶液、水および／またはｐＨ調整剤の再循環または追加を可能にする該流量制御弁と流体連通して接続されたフィードバック制御ループと、
（ｆ）該クリーニング用途への生成物と、
を含み、
該塩素センサーと流体連通した該電解溶液の第１の部分の該安定化されたｐＨ範囲の結果として、該溶液または追加の化学添加物の流量の連続的な調整を必要とせずに、該システムが１０ｐｐｍ〜１０００ｐｐｍの制御された塩素濃度を有する電解溶液を生成し、そして、
塩素オキシアニオン濃度の測定に使用される該電解溶液の第１の部分が該システムから廃棄されるか、または該システム内で再循環され、
該ｐＨ調整剤が、二酸化炭素ガス、炭酸ナトリウム、炭酸カリウム、重炭酸ナトリウム、および重炭酸カリウムからなる群から選択される少なくとも１種である、システム。
【請求項２】
該電解溶液が、食品または飲料加工装置をクリーニングまたは殺菌するために使用される、請求項１に記載の制御システム。
【請求項３】
該電解溶液が、編織布または洗濯物処理装置をクリーニングまたは殺菌するために使用される、請求項１に記載の制御システム。
【請求項４】
該電解溶液が、施設の皿、ガラス、銀製食器または他の食品の調理および取り扱い装置をクリーニングまたは殺菌するために使用される、請求項１に記載の制御システム。
【請求項５】
該電解溶液が、なんらかの電解的に生成された塩素オキシアニオン源である、請求項１に記載の制御システム。
【請求項６】
該電解溶液が、５〜１１の初期ｐＨを有する、請求項５に記載の制御システム。
【請求項７】
該電解溶液の第１の部分に流体連通して接続された流量制御弁が該ｐＨ調整剤を提供する、請求項１に記載の制御システム。
【請求項８】
該電解溶液の第１の部分のｐＨを５.５〜７.５に調整するために、該ｐＨ調整剤が固定速度で該塩素センサーと連通した該電解溶液の第１の部分に加えられる、請求項１に記載の制御システム。
【発明の詳細な説明】
【技術分野】
【０００１】
本発明は、定置洗浄（ＣＩＰ）用途等の自動再循環または単一経路クリーニングシステムのための電解水溶液を含む電解技術の使用に関する。特に、本発明は、クリーニングシステムで使用される測定可能な塩素含有量を用い、一貫しかつ予測可能な電解溶液の生成に使用される制御システムおよび方法を提供する。制御システムが、ＣＩＰシステム等のクリーニングシステムでの使用および制御のための広い範囲のｐＨにわたる自動塩素出力および測定のために開示される。
【背景技術】
【０００２】
定置洗浄（ＣＩＰ）技術は、時間がかかり、そして大きな労力を要するシステムの分解および手によるクリーニングを必要とすることなく、システムの内側をクリーニングするのに、化学的および機械的な作用の組み合わせを使用する。ＣＩＰクリーニングレジメンは、タンク、ライン、ポンプおよび他の加工装置の内部の構成部分から汚れを除去するために、適合される。例えば、食品および飲料、製薬、編織布およびランドリー業界において使用されるもの等の液体生成物流を用いて、処理装置をクリーニングするために、ＣＩＰクリーニングのための方法およびシステムが、しばしば使用される。ＣＩＰ作業のさらなる記載は、例えば、米国特許第６、１９７、７３９号明細書、米国特許第６、９５３、５０７号明細書および米国特許第６、９９１、６８５号明細書に記載されており、これらの完全な開示は、参照によりすべて取り込まれる。
【０００３】
ＣＩＰ作業は、通常、システムの周期的なクリーニングのための化学品（例えば、洗剤、抗菌剤およびその同類のもの）の循環を含む。しばしば、ＣＩＰ法は、第１のすすぎ、クリーニング溶液の適用、飲料水を用いた第２のすすぎ、これに続く作業の再開を含む。工程は、熱水、冷水等の、すすぎ流体、酸性または塩基性機能性流体、溶媒または他のクリーニング成分が工程の間の任意のステップにおいて装置と接触できる任意の他の接触ステップを含むことができる。さらに、クリーニングおよび／または殺菌ステップに続いて、バクテリアによる装置の汚染を防ぐために、最終の飲料水すすぎステップを省くことができる。通常の工程を再開する前に、化学残留物がシステムから除去され、そして／またはクリーニング化学品と接触した製品は廃棄される。
【０００４】
クリーニング、殺菌および消毒のために有用な化学品を含むＣＩＰ用途のための好適な組成物の開発への要求が増加している。クリーニング化学品のオンサイト生産への要求もまた増加している。オンサイト化学品の生産は、水および電解質の電解を通して達成でき、洗浄、脱色、表面殺菌および他の消毒目的として使用される、水酸化ナトリウム（ＮａＯＨ）のアルカリ性洗剤溶液、次亜塩素酸溶液または塩素を生成する。この工程を使用した水および塩の電解は、充分に確立されている。水酸化ナトリウム（または「苛性」または「アルカリ」）の塩基性溶液、および次亜塩素酸の酸性溶液が生成される。電気化学セルの構造によって、種々の排水が生成される場合がある。例えば、膜によって分割されたセルは、次亜塩素酸および水酸化ナトリウムの両方を生成する。あるいは、膜によって分割されていない電気化学セルは、次亜塩素酸ナトリウム（通常、漂白剤と呼ばれる）を生成する。
水および塩の溶液の電解から得られる生成物は、多数のクリーニングおよび殺菌能力を有する塩素系洗剤および消毒剤の供給源を提供する。これらの塩素を含有する酸化剤は、バクテリア、ウイルス、寄生虫、原生動物、カビ、胞子および他の病原菌を殺すのに効果的である殺生剤である。
【０００５】
ＣＩＰ用途のための電解溶液の使用は、ＣＩＰシステムに腐食性となるレベルに到達することなくクリーニングおよび殺菌に充分な濃度を維持するために、塩素測定を必要とする高くかつ変化する濃度の塩素を生成する。結果として、正確な塩素測定は、電解ＣＩＰ溶液のために必要である。しかし、市販されている塩素監視装置は、（約０.５ｐｐｍ〜約３ｐｐｍの）水処理方法と関連したもの等のより濃縮されていない塩素レベルを検出するために設計されている。例えば、塩素監視装置のｐＨ限界を記載する米国特許第５、４２２、０１４号明細書（参照によりその開示のすべてが本明細書中にすべて取り込まれる）を参照のこと。結果として、電解溶液から達成される塩素含有量、電解溶液への給水のｐＨ変動性および／または電解溶液を希釈するのに使用される水は、ＣＩＰ用途のための電解溶液に必要な塩素測定を不可能にする。
【発明の概要】
【発明が解決しようとする課題】
【０００６】
したがって、請求項に記載された発明の目的は、ＣＩＰ用途等の自動再循環または単一経路クリーニングシステムのための測定可能な自動塩素出力のための制御システムおよび方法を開発することである。
【０００７】
本発明のさらなる目的は、測定される正確な塩素オキシアニオン（ｃｈｌｏｒｉｎｅ  ｏｘｙａｎｉｏｎ）濃度に基づいた、電解溶液を使用するシステムおよび方法の開発である。
【０００８】
本発明のさらなる目的は、広い範囲のｐＨにわたる塩素測定の、ハンズフリーの自動化のためのシステムおよび方法を含む。
【課題を解決するための手段】
【０００９】
本発明は、広い範囲のｐＨにわたって塩素オキシアニオン濃度を同定する測定システムを含む制御システムを提供する、ｐＨへの塩素監視を克服し、そして定置洗浄（ＣＩＰ）用途等の種々のクリーニング用途における電解溶液のための制御システムおよび関連した方法の使用を可能にする。塩素オキシアニオン濃度のために測定される電解溶液を使用する自動の方法は、ＣＩＰおよび他のクリーニング用途のために提供される。
【００１０】
本発明の一態様では、自動再循環または単一経路クリーニング用途のための制御システムは、例えば、次亜塩素酸、亜塩素酸、塩素酸および過塩素酸アニオンを含む電解的に生成された塩素オキシアニオンの溶液を使用し、第１の部分が塩素センサーと流体連通した電解溶液を含む。さらに、ｐＨ調整剤は、電解溶液の第１の部分と流体連通して、約１０ｐｐｍ〜約１０００ｐｐｍの塩素オキシアニオン濃度の正確な測定を可能にし、そしてクリーニング用途への生成物が提供される。制御システムは、例えば、クリーニングまたは殺菌を必要とする食品または飲料加工装置、編織布または洗濯物処理装置および皿、ガラス、銀製食器および他の食品の調理、取り扱いおよび提供の装置を含む、表面のためのＣＩＰクリーニングまたは殺菌用途を含む種々のクリーニング用途での使用のために好適である。
【００１１】
本発明の別の態様では、電解的に生成された塩素オキシアニオンの溶液を利用した、自動再循環または単一経路クリーニングシステムで使用される制御システムが記載される。この態様によって、制御システムは、電解溶液の第１の部分が塩素センサーと流体連通した電解溶液のｉｎ  ｓｉｔｕ生産のための電気化学セルを含む。さらに、二酸化炭素供給源は、塩素センサーによって測定される電解溶液の一部と流体連通しており、塩素センサーは、電解部分のｐＨを変更して、約１０ｐｐｍ〜約１０００ｐｐｍの塩素オキシアニオン濃度の正確な測定を可能にし、そしてシステムの出力は、電解溶液を、クリーニングシステムに送達する。
【００１２】
本発明のさらなる態様により、塩素オキシアニオン濃度の測定のために改質された電解溶液の部分は、次に廃棄されるか、またはさらなる循環のために制御システムに送達されて戻されることができる。さらに、塩素センサーの出力は、システムそれ自体を制御するために使用できる。例えば、１つの態様により、フィードバック信号は、システムを通してポンプで送られる電解溶液のレベルまたは体積を調整できる。さらにフィードバック信号は、電解溶液それ自体を制御できる。例えば、別の態様により、フィードバック信号は、電解溶液の濃度を調整できる。
【００１３】
本発明の別の態様により、自動再循環または単一経路クリーニングシステムで使用される電解溶液の塩素オキシアニオン濃度を測定するための制御システムは、電解溶液を生成するために使用される電解溶液濃縮物の供給源および希釈水の供給源、電解溶液の第１の部分と流体連通した塩素センサー、約１０ｐｐｍ〜約１０００ｐｐｍの塩素オキシアニオン濃度の正確な測定を確かにするために、約５.５〜約７.５に電解溶液の第１の部分のｐＨを制御できるｐＨ調整剤、および電解溶液中の塩素オキシアニオン濃度を調整するための塩素センサー測定に基づいて開始されるフィードバックループメカニズムを含む。
【００１４】
追加の態様は、制御システムから電解溶液を得る工程と、電解溶液をクリーニングまたは殺菌を必要とするクリーニングシステムに適用する工程とを含む自動再循環または単一経路クリーニングシステムのために、電解的に生成された塩素オキシアニオンを使用するクリーニングまたは殺菌のための方法を含む。本発明によるさらなる態様は、電解濃縮物を水中で希釈して電解溶液を生成する工程であって、塩素オキシアニオン濃度が本発明による制御システムにより測定される工程と、抗菌処理が必要なクリーニングシステムに電解溶液を適用する工程とを含む、自動再循環または単一経路クリーニングシステム中で電解的に生成された塩素オキシアニオンを使用する抗菌処理のための方法を含む。
本発明のこれらのおよび他の態様が本明細書中に開示される。
【図面の簡単な説明】
【００１５】
【図１】図１は、電解溶液の一部分から塩素オキシアニオン濃度の測定を得るために使用される本発明による制御システムの態様の略図を示す。
【図２】図２は、電解溶液の一部分から塩素オキシアニオン濃度の測定を得るために使用される本発明による制御システムのさらなる態様の略図を示す。
【図３】図３は、効果的な塩素オキシアニオン濃度測定の結果として制御されたＣＩＰシステムを有する本発明の態様の略図を示す。
【図４】図４は、効果的な塩素オキシアニオン濃度測定の結果として制御されたＣＩＰシステムを有する本発明のさらなる態様の追加の略図を示す。
【図５】図５は、水供給源のｐＨへの電解溶液の影響を示す。
【図６】図６は、水供給源のｐＨへの電解溶液の影響を示す。
【発明を実施するための形態】
【００１６】
この発明の態様は、変わることができ、そして当業者によって理解される定置洗浄（ＣＩＰ）用途を含むクリーニング用途のための電解的に生成された塩素オキシアニオンを使用する特別な制御システムおよび方法に限定されない。さらに当然のことながら、本明細書中で使用されるすべての用語は、特定の態様のみを記載する目的のためであり、そして任意の様式または範囲に限定することを目的とするものではない。例えば、この明細書および付属の請求項において使用されるように、そうでないと明確に内容を指示しない限り、単数形の「ａ」、「ａｎ」および「ｔｈｅ」は複数形の指示を含むことができる。さらに、すべての単位、接頭辞、および記号は、そのＳＩでの受け入れられた形態を意味できる。明細書中に記載された数値範囲は、範囲を規定する数を含み、そして規定された範囲内のそれぞれの整数を含む。
【００１７】
そうでないと規定しない限り、本明細書中で使用されるすべての技術的および科学的用語は、本発明の態様に関連する当業者が通常理解する意味と同じ意味を有する。本明細書中に記載されたものに類似の、改変された、または均等な多くの方法および材料を過度の実験なしに本発明の態様の実施において使用できる好ましい材料および方法が、本明細書中に記載される。本発明の態様を記載し、請求の範囲に記載する場合、以下の用語は、下記に記載される定義と一致して使用されるであろう。
【００１８】
用語「約」は、本明細書中で使用される場合、例えば、実世界において濃縮物または使用溶液を作るために使用される典型的な測定および液体の取り扱い手順を通して、これらの手順における不用意な誤りを通して、組成物を作るか、または方法を実行するのに使用される製造、供給源、または成分の純度を通して、生じる場合がある数値量における変化およびその同類のものをいう。用語「約」はまた、特別な初期の混合物から生じる組成物のための異なる平衡条件によって異なる量を含む。用語「約」によって修飾されているかいないかに関わらず、請求項は、例えば、実世界において濃縮物または使用溶液を作るために使用される典型的な測定および液体の取り扱い手順を通して、これらの手順における不用意な誤りを通して、組成物を作るか、または方法を実行するのに使用される製造、供給源、または成分の純度を通して、生じる場合がある数値の量の変化を意味する量に均等なものおよびその同類のものを含む。
【００１９】
用語「塩素」は、本明細書中で使用される場合、電解的に生成された溶液（すなわち、電解溶液）中に存在する塩素化合物および塩素オキシアニオンをいう。本発明による塩素オキシアニオンは、例えば、次亜塩素酸、亜塩素酸、塩素酸および過塩素酸アニオンを含むことができる。塩素はさらに、次亜塩素酸および次亜塩素酸イオンの全濃度が測定される用語「自由塩素」を含むと理解される。当業者は、塩素の反応性のｐＨへの結果として、異なるｐＨにおいて異なる塩素種が多くなることを認識するであろう。
【００２０】
用語「定置洗浄」および「ＣＩＰ」は、本明細書中で使用される場合、例えばシステムの任意の内部のおよび／または外部の構成部分のクリーニングを含む種々のクリーニング用途をいう。ＣＩＰは、さらに本発明による再循環および／または独立のまたは単一経路クリーニング方法の両方を含むと理解されるであろう。システム構成部分は、多くの場合クリーニング組成物を用いて循環またはスプレーすることによって、クリーニングが必要なパイプライン、容器、タンク、ポンプおよび他の加工装置を含む。システム構成部分は、例えば、食品および飲料、製薬、編織布および洗濯物処理装置を含む種々の工業の用途において使用される。食品および飲料の工業的製造のための食品および飲料産業におけるそうした加工装置の使用は、例えば、食品または飲料製品および表面に残ったそうした製品との結果として、汚れで汚染されることになる表面となる。汚れは、液体および固体食品の両方の製造から生じる炭水化物、タンパク質汚れ、硬度汚れ、食品油汚れおよび／または他の汚れおよび残留物を含むことができる。ＣＩＰの適用は、多くの場合除去することが困難な処理された表面および汚れを除去し、クリーニングし、殺菌し、そして／又は消毒する。加工装置汚れのさらなる説明は、米国特許出願第１０/９２８、７７４号明細書に記載されており、これらの完全な開示は、参照によりすべて取り込まれる。
【００２１】
用語「電解溶液」、「電解的に生成された塩素オキシアニオン」、「塩素オキシアニオンを含有する電解溶液」、「電解濃縮物」およびその同類のものは、本明細書中で使用される場合、塩素オキシアニオン源を有する電解溶液の任意の供給源をいう。電気化学セルからの生成物は、系に加えられたセルおよび構成部分の構造により変わることができる。しかし、塩素を含有する電解溶液は、（「漂白」製品が、アノード液、ＥＣＡ、ＥＯ水、ＭＯＳおよびその同類のものといわれることができるように）同じ化学品、すなわち、塩素（Ｃｌ２）、亜塩素酸（ＣｌＯ２）、塩素酸（ＣｌＯ３）、次亜塩素酸（ＨＯＣｌ）、次亜塩素酸イオン（ＯＣｌ−）、過塩素酸アニオンおよび次亜塩素酸ナトリウム（ＮａＯＣｌ）を含むと理解される。当業者は、ＣＩＰ用途のための電解的に生成された塩素オキシアニオンを使用する制御システムを提供するために、本発明の範囲に含まれることができることを認識するであろう。
【００２２】
用語「供給水」、「希釈水」および「水」は、本明細書中で使用される場合、本発明の方法およびシステムで使用されることができる水の任意の供給源をいう。本発明における使用に好適な水の供給源は、広範な品質およびｐＨの両方を含むことができ、そしてこれは、以下を含むがこれらに限られない、水道用水、井戸水、公共の水システムにより供給された水、私用の水システムにより供給された水、および／またはシステムまたは井戸からの直接の水を含む。水はまた、リサイクルされた水、貯槽、またはそれらいずれかの組み合わせの、貯蔵に使用されるリサイクル貯蔵容器等の使用された水貯蔵容器からの水を含むことができる。当然のことながら、本発明のシステムおよび方法に入ってくる水の供給源にかかわらず、水の供給源は、製造プラント内でさらに処理されていることができる。例えば、石灰が鉱物の沈殿のために加えられることができ、炭素ろ過がにおいを放つ汚染物質を除去でき、追加の塩素または二酸化塩素が消毒のために使用されることができ、または水は、蒸留水に類似の特性による逆浸透を通して精製されることができる。水供給源および次の処理形態の多様性の結果として、本発明によるＣＩＰシステムに供給される水の品質における広範な変動となる。
【００２３】
用語「質量パーセント」、「ｗｔ−％」、「質量％」、「ｗｔ％」およびそれらの変化形は、本明細書中で使用される場合、その物質の質量を組成物の全質量で割り、そして１００を掛けた物質の濃度をいう。当然のことながら、本明細書中で使用されるように、「パーセント」、「％」およびその同類のものは、「質量％」、「ｗｔ−％」等と同義であることを目的とする。
【００２４】
本発明の態様により、ＣＩＰ用途等の自動再循環または単一経路クリーニングシステムのための電解溶液を用いた制御システムで使用される制御システムおよび方法が提供される。このシステムおよび方法は、種々のＣＩＰ用途のための制御された塩素溶液の使用を可能にし、そしてＣＩＰ用途のための電解水溶液を使用するために、広い範囲のｐＨにわたる塩素濃度のための制御されたシステムを提供することにより、ＣＩＰ用途に大幅な利益を提供する。例えば、種々のクリーニング、消毒または殺菌化学品が、通例使用される食品および飲料製造プラントを含む多数のＣＩＰ用途に、本発明によるシステムおよび方法は好適である。洗剤またはクリーニング組成物の量または濃度等のＩＰクリーニング組成物の公知のパラメーターを変更するよりむしろ、本発明は、ＣＩＰクリーニングのためのなんらかの追加の化学洗剤なしで、電解溶液を使用するための手段を提供する。
【００２５】
本発明により、システムは、電解溶液における自動化されたレベルの塩素を生成するために提供される。ＣＩＰ用途等のクリーニング用途における使用のために、電解溶液は、溶液または他の化学添加物の流量の連続的な調整を必要としないで、一貫し、正確かつ再現可能な濃度の塩素を必要とする。塩素を含有する電解溶液は通常、約５〜約１１のｐＨ範囲で、約１０〜約１０００ｐｐｍの塩素、好ましくは約１０〜約２００ｐｐｍの塩素の範囲にあり、塩素における変化は、電解溶液のｐＨに著しく影響する。さらに、電解槽に供給され、そして／または電解溶液の希釈に使用される水のｐＨの変化は、溶液のｐＨに影響し、そして感度および塩素センサーの正確性に負の影響を有する。
【００２６】
本発明による制御システムおよび方法は、（ａ）塩素センサーによって測定される電解溶液の一部分、および（ｂ）特別なクリーニングシステムで使用される塩素オキシアニオン濃度の両方について、ｐＨの一貫し、正確かつ再現可能な使用者制御を提供し、そして種々のクリーニング用途のための塩素オキシアニオンを含有する電解溶液の使用を可能にすることにおいて大幅な利益を提供する。本発明の態様により、ＣＩＰ用途のための塩素プローブまたはセンサーを用いて、塩素オキシアニオンを測定するために使用される電解溶液の一部分の最終のｐＨは、約５.５〜約７.５、好ましくは約５.５〜約７.０、そして最も好ましくは、約５.５〜約６.５であり、そして電解溶液および／またはｐＨ調整剤のいずれの流量の調整を必要とすることなく、所望のｐＨ範囲の、０.７５ｐＨ単位以下の範囲内、さらに好ましくは、０.５ｐＨ単位以下の範囲内、そして最も好ましくは、０．２５ｐＨ単位以下の範囲内に維持される。本発明により、塩素センサーによって測定された電解溶液の一部の安定化されたｐＨ範囲は、塩素センサーの誤差を取り除き、そして電解槽に供給され、そして／または非常に変動する品質およびｐＨを有する、電解溶液を希釈するために使用される水の使用を可能にする。
【００２７】
塩素オキシアニオンプローブの使用を可能にするために、電解液の一部分の制御されたｐＨを維持する制御システムに加えて、本明細書中に記載された制御システムは、システムにわたる自動制御のための制御システムに、塩素オキシアニオン含有量のフィードバックを提供する。本発明による制御システムはさらに、塩素センサー濃度の測定に応答することによって、電解溶液の塩素オキシアニオン濃度の制御を可能にする。
【００２８】
制御システム
図１および２は、電解溶液の一部分から塩素オキシアニオン濃度の測定を得るために、制御システムで使用される本発明の態様を具体的に示す。記載されたように、本発明の態様は、電解溶液を使用するクリーニングシステムの自動制御のための塩素オキシアニオンの測定システムを含む。図１に示すように、本発明の態様は、電解溶液（任意の電解的に生成された塩素オキシアニオン供給源）１０、ｐＨ調整剤１２、検出槽１４、電解溶液の第１の部分、ｐＨ調整剤と検出槽の間で流体連通１１を提供するための分配システム、および電解溶液の第２の部分に、ＣＩＰ溶液タンク１６の流体連通を提供するための分配システム１７を含むか、これらからなるか、またはこれらから本質的になる制御システム８を含む。
本発明により、電解システムの第２の部分１７は、ｐＨ調整剤１２および／または塩素オキシアニオン濃度測定のための検出槽１４と流体連通している必要はない。本発明による制御システムは、少なくとも約１０ｐｐｍ〜１０００ｐｐｍの塩素オキシアニオン濃度の正確な測定を提供する電解溶液の第１の部分のためのｐＨ調整を提供する。
【００２９】
図２は、塩素オキシアニオン濃度の測定が、電解溶液の一部分から得られる本発明の態様のさらなる略図を具体的に示す。本発明の態様は、電解溶液１０、ｐＨ調整剤１２、混合室１３、検出槽１４、電解溶液の第１の部分とｐＨ調整剤との間と検出槽への流体連通１１を提供するための分配システム、および本発明によるＣＩＰ溶液タンク１６に提供される電解溶液１７の第２の部分のための分配システムを含むか、これらからなるか、これらから本質的になるＣＩＰ用途のための使用者に制御された塩素濃度のための制御システム８を含む。混合室１３は、ｐＨ調整剤１２と電解溶液１０とを混合するために流体連通したさらなるセグメントを提供する。例えば、混合室１３は、本発明によるｐＨ調整剤１２を用いて電解的に生成された塩素溶液１０を充分混合することを確かにするために含まれることができる。
【００３０】
制御システム８は、図２に記載されたフィードバックループ等のシステム１５のためのフィードバック制御メカニズムを任意選択的に含むか、これからなるか、またはこれから本質的なることができる。制御システムのこの任意選択的態様により、ｐＨプローブは検出槽１４内にさらに収納され、そして塩素プローブによって測定される電解溶液の第１の部分１１のｐＨを測定するために使用される。ｐＨプローブ信号は、ｐＨ調整剤１２（本発明により記載される酸および／またはアルカリ性調整剤）および／または電解溶液１０のためのフィードバックメカニズムを開始する。フィードバックメカニズム１５は、ｐＨを調整し、そして電解溶液の側流の所望のｐＨを達成するために、好ましくは電解溶液の第１の部分１１へのｐＨ調整剤１２の供給速度を調整する。いったん側流のｐＨがｐＨプローブにより決定される所望のレベルを達成すると、塩素プローブは次に、システムの制御で使用される塩素オキシアニオン濃度の測定に使用されることができる。本発明の好ましい態様により、制御システムは、制御システムのｐＨ調整剤１２の流量を調整するフィードバックループメカニズム１５を介して所望のｐＨ濃度範囲を達成する。
【００３１】
図３および図４は、ＣＩＰシステム等のクリーニングシステムが、塩素プローブによる効果的な塩素オキシアニオン濃度の測定を有する結果として制御される本発明のさらなる態様を示す。本発明のさらなる態様により、（そのシステムが図１および２に開示されている）塩素オキシアニオン濃度の正確な測定は、所望のＣＩＰシステムの性能の変化を要求するなど、ＣＩＰシステムそれ自身の制御を可能にする。
【００３２】
図３は、電解溶液濃縮物１０、ＣＩＰ溶液タンク１６の一部分と混合室１３との間の流体連通１１を提供するための分配システム、ｐＨ調整剤１２、検出槽１４、並びに検出槽１４および（ＣＩＰ回路制御２０がＣＩＰ回路２２と連通している）ＣＩＰ回路制御２０と連通した検出槽信号フィードバック１８を含むか、これらからなるか、またはこれらから本質的になる制御システム８の態様の図を示す。本発明の態様により、クリーニングシステムの機械的なタイプの制御を提供するために、制御システムは、検出槽１４によって測定された塩素オキシアニオン含有量のフィードバックを、ＣＩＰ回路制御２０およびＣＩＰ回路２２に提供する。結果として、本発明の態様は、ＣＩＰシステムが塩素プローブ測定に応答することを可能する。例えば、塩素プローブによって測定された塩素濃度は、再循環様式のＣＩＰ回路制御２０を開始できる。あるいは、いったん目標とされた塩素オキシアニオン濃度が達成されると、塩素プローブによる塩素濃度の測定は、ＣＩＰ回路制御２０のためのＯＮ/ＯＦＦモードを開始できる。
【００３３】
図４は、検出槽１４による効果的な塩素オキシアニオン濃度の測定を有する結果としてＣＩＰシステムがさらに制御される本発明の態様のさらなる図を示す。図４に示すように本発明による制御システム８は、ＣＩＰ回路２２、ＣＩＰ溶液タンク１６の一部分と混合室１３との間に流体連通１１を提供するための分配システム、ｐＨ調整剤１２、検出槽１４、および検出槽１４と連通する検出槽信号フィードバック１８および電解濃縮物の制御２４および／または希釈水の制御２６（制御２４、２６が、電解溶液濃縮物１０および希釈水２８とそれぞれ連通している）を含むか、これらからなるか、またはこれらから本質的になる。
【００３４】
本発明のこの態様により、塩素センサーから得られた塩素オキシアニオン濃度の測定に応答し、そして本発明による制御システムから塩素オキシアニオン濃度の出力を調整するために、フィードバック１８は、電解溶液濃縮物１０、希釈水２８および／または電解溶液濃縮物を作る電解槽（塩水または水等のその入力供給源のいずれか）を制御できる。制御システムのこの態様により、電解濃縮物の制御２４は、電解溶液濃縮物１０のＣＩＰ溶液タンク１６への追加のための必要性を伝達し、そして希釈水の制御２６は、希釈水２８のＣＩＰ溶液タンク１６への追加の必要性を伝達する。結果として、本発明による制御システムは、測定された塩素オキシアニオン濃度のフィードバックをＣＩＰシステムに提供し、所望の塩素オキシアニオン濃度に到達するために、ＣＩＰシステムが、塩素プローブ測定再循環ループを通して、ＣＩＰ溶液タンク１６に提供される電解溶液濃縮物１０および／または希釈水２８の量を調整し、塩素プローブ測定に応答することを可能にする。
【００３５】
本発明による制御システム８は、ＣＩＰ用途のための１ステップクリーニング、殺菌および抗菌効果を提供するための、任意の電解的に生成された塩素オキシアニオン１０、すなわち、塩素を含有する電解溶液の供給源を含む。電解的に生成された塩素オキシアニオン源は、任意の電解溶液および／または電解溶液濃縮物であることができる。本発明の１つの態様により、電気化学セルは、電解溶液および／または電解溶液濃縮物をｉｎ  ｓｉｔｕで生成する。別の態様により、電解溶液濃縮物は、希釈水で希釈されて、電解溶液を生成する。ほかの態様により、電解的に生成された塩素の側流は、制御システムに流体連通して接続され、そこでターゲット塩素濃度が確認される。さらなる態様により、電解的に生成された塩素の側流の確認された塩素濃度は、本発明によるＣＩＰ用途での使用のために、塩素溶液および任意選択的に追加の水供給源の、ＣＩＰ溶液タンク１６への添加の信号を送る。
【００３６】
当然のことながら、本発明による制御システムによって電解溶液１０または電解溶液濃縮物１０のｐＨは、最初約５〜約１１であろうし、そして検出槽１４と流体連通１１する電解溶液の第１の部分のｐＨは、約５.５〜７.５、好ましくは約５.５〜約７.０、そして最も好ましくは約５.５〜約６.５の範囲に、本発明の制御システムよって調整され、正確な塩素オキシアニオン濃度測定を得る。
【００３７】
本発明による電解溶液１０は、抗菌有効性、殺菌およびクリーニングのための塩素オキシアニオンの最小の濃度を提供する。本発明の態様は、約２０ｐｐｍ〜約１０００ｐｐｍの塩素を有する塩素供給源を含む。別の態様により、供給源は、約１０ｐｐｍ〜約２００ｐｐｍ塩素、好ましくは約３０ｐｐｍ〜約２００ｐｐｍ、さらに好ましくは約５０ｐｐｍ〜約２００ｐｐｍの塩素を有する電解溶液である。好ましい態様により、電解的に生成された塩素オキシアニオンは、約１０ｐｐｍ〜約２００ｐｐｍの範囲であり、そしてステンレススチールの部分から典型的にはなる、ＣＩＰシステムの腐食を生じることなくクリーニング、殺菌および抗菌有効性を提供する。
【００３８】
本発明による制御システム８は、検出槽１４内に収容された電解溶液の第１の部分の塩素オキシアニオン濃度を測定するための塩素センサーを含むか、これからなるか、またはこれから本質的になる。電解溶液の第１の部分１１は、塩素濃度検出および測定のために、検出槽を通って流れる。当業者に理解されるように、本発明は、選択された塩素センサーまたは監視装置のタイプにより限定されない。例えば、任意のアンペロメトリー監視装置、比色分析監視装置、選択的イオン電極監視装置またはポーラログラフ膜プローブは、塩素およびｐＨレベルの一貫した制御を提供するために、本発明のシステムおよび方法により使用されることができる。
【００３９】
本発明の任意選択的態様により、塩素センサーを含む検出槽１４は、例えばｐＨセンサーを含む複数の検出素子をさらに含むことができる。塩素およびｐＨセンサーが伴に検出槽１４内に収容される本発明の態様により、電解的に生成された塩素溶液１０は、塩素センサーおよびｐＨセンサーの両者が収容されている検出槽１４を通過し、そして塩素種およびｐＨの測定を得る。塩素濃度の正確な測定のための電解溶液のｐＨを制御するために、フィードバックメカニズムを含む本発明のある態様は、ｐＨセンサーを含む。
【００４０】
制御システム８のさらなる態様により、検出槽１４、およびそこに収容されている任意の複数のセンサーまたはプローブは、使用者により監視されることができる。例えば、本発明の態様は、目標とされた塩素および／またはｐＨ濃度を達成したことを検証するために、工程制御パラメーターを使用者に報告するための遠隔通信手段を含む。
【００４１】
本発明のさらなる態様により、制御システム８内で流体連通を提供するための分配システムは、例えば、循環システムおよび／またはポンプシステムを含む流体連通または連結の任意の手段であることができる。任意の流体連通または連結は、電解溶液１０、ｐＨ調整剤１２および／または希釈水２８の添加のための導入ティー（ｔｅｅ）をさらに含むことができる。流体連通を提供するための分配システムは、電解溶液１０、ｐＨ調整剤１２および／または希釈水２８のために調節可能な流量を確立するための少なくとも１つの流量制御弁をさらに含むことができる。
【００４２】
本発明による制御システム８は、検出槽１４内の電解溶液の第１の部分と流体連通１１するｐＨ調整剤１２を含むか、これらからなるか、またはこれらから本質的になる。本発明による好適なｐＨ調整剤は、例えば、二酸化炭素ガス、水酸化ナトリウム、水酸化カルシウムまたは水酸化カリウム、炭酸ナトリウムもしくは炭酸カリウムまたは重炭酸ナトリウムもしくは重炭酸カリウム、および／または、塩化水素等のモノ、ジもしくはトリプロトン性鉱酸を含むガス状および／または液体の弱酸性およびアルカリ性緩衝剤を含むことができる。一つの態様により、ｐＨ調整剤は、約８超のｐＨを有する水系で、塩測定システムから得られる測定誤差による塩素センサーの感度を改善するためにｐＨを低下させるために電解溶液に導入される弱酸性の緩衝剤である。好ましい態様により、弱酸性の緩衝剤は、流体連通手段１１内の導入ティーにおいて加えられることができ、検出槽１４中で測定される電解溶液の第１の部分のｐＨを調整する。好ましくは、二酸化炭素ガスは弱酸性剤として加えられ、一定流量の電解溶液の第１の部分を緩衝して、塩素センサーの使用のための好適な範囲への、溶液のｐＨ調整を提供する。当業者によって認識されるように、二酸化炭素ガス等の緩衝剤の使用は、電解溶液の第１の部分に加えられる二酸化炭素の量に基づいて、溶液のｐＨを約５〜約７、好ましくは約５.５〜約６.５に低下させるために溶液中に溶解された場合、炭酸を生成することによりｐＨを調整する。
【００４３】
好ましい態様により、緩衝剤を酸性にする二酸化炭素の流量は一定であり、そして手動調整を必要とせず、正確な塩素濃度測定を得るために、電解溶液の第１の部分の目標とされたｐＨ範囲を維持する。制御システム８は、約５.５〜約７.０そして最も好ましくは約５.５〜約６.５で、約０.７ｐＨ単位以内、好ましくは約０.５ｐＨ単位以内、そして最も好ましくは、所望のｐＨ範囲から約０.３ｐＨ単位以内の電解溶液の第１の部分の所望のｐＨ範囲を維持する。本発明の１つの態様により、約３００ｍｌ/分の二酸化炭素流量は、電解溶液の第１の部分が一定の供給速度で検出槽に提供される場合、電解溶液の第１の部分内の広い範囲の塩素含有量にわたって約５.５〜約７.５、すなわち、約１０ｐｐｍ〜約２００ｐｐｍの電解溶液のｐＨ範囲を維持するように提供される。
【００４４】
クリーニングの方法
本発明の態様により、ＣＩＰ用途等の自動再循環または単一経路クリーニング用途における、クリーニング、殺菌、消毒および抗菌有効性のための方法が開示される。当業者が理解するであろうように、クリーニング、殺菌、消毒および抗菌有効性の方法は、処理を必要とするＣＩＰシステムに提供される塩素のレベルに基づいて達成される。好ましい態様により、１つのステップクリーニングおよび殺菌工程のための方法が達成される。さらに好ましい態様により、抗菌処理のための方法が達成される。
【００４５】
ＣＩＰ用途におけるクリーニング、殺菌、消毒および抗菌有効性の方法は、本発明の制御システムを取り込むために、本発明により記載された改変を有する公知の装置の使用および設定により行われることができる。本発明により電解的に生成された塩素オキシアニオンの使用の方法の態様は、本発明による制御システムから得られたクリーニング電解溶液と、処理を必要とする表面とを接触させることを含む。本発明の方法による使用のための電解溶液は、本発明の制御システムの使用による広いｐＨ範囲にわたって、測定可能な所望の塩素濃度を有する。
【００４６】
本発明の態様は、例えば食品または飲料加工装置、編織布または洗濯物処理装置または皿、ガラス、銀製食器および他の食品の調理、取り扱いおよび提供装置を含む種々のＣＩＰ用途のためのクリーニング、殺菌、消毒および抗菌有効性のための電解溶液の使用を含む。本発明によるＣＩＰ用途は、任意の再循環または非循環クリーニングシステムを含むことができる。
【００４７】
好ましい態様により、電解水溶液は、ポンプおよび再循環システムを提供する戻り回路システムを有する内部流体回路等の流体連通の手段を通して溶液を供給することによって、処理を必要とする装置と接触される。ほかの態様により、電解水溶液は、装置を洗浄できるスプレー機器によって、処理を必要とする装置と接触し、そしてそれによって非循環システムを提供する。非循環態様により、スプレー機器は、容器等のシステムを洗浄するのに使用され、下水管、またはなんら再循環が確立されていない下水管に直接導くパイプラインに次に向かう。電解水溶液と装置とを接触させるステップは、未加熱の、周囲温度のまたは加熱した水と伴に溶液を導入することを含むことができる。クリーニングの方法は、装置をすすぐステップをさらに含むことができる。
【００４８】
ＣＩＰシステムへのクリーニング、殺菌、消毒および抗菌効果の管理の方法のためのある態様は、使用溶液をシステム中に、一定または変動する流量で適用または導入することを含むことができる。さらに、ＣＩＰシステムをクリーニングするための方法は、入ってくる水の水温から７０℃超までの範囲の温度であることができる。またさらに、ＣＩＰシステムのクリーニングのための方法は、少なくとも約１０秒〜約１２０秒、好ましくは少なくとも３０秒の接触時間を含むことができる。
【００４９】
本発明の開示に基づいて当業者が理解するであろうように、本発明によるクリーニング、殺菌、消毒および抗菌処理方法は、クリーニング時間、温度、圧力、洗剤またはクリーニング組成物の濃度、ＣＩＰクリーニング用途を運転するシステム、および汚れのタイプにおける変化により、さらに最適化されることができる。
【００５０】
本明細書中のすべての出版物および特許出願は、本発明に関連する当業者のレベルの指標となる。すべての出版物および特許出願は、それぞれの個々の出版物または特許出願が参照によって、具体的かつ個々に示されたかのように、同じ程度まで本明細書中に取り込まれる。
【実施例】
【００５１】
本発明の態様は、以下の非限定の例によりさらに規定される。当然のことながら、これらの例は、本発明のある態様を示すが、具体的な説明としてのみ与えられる。上記の記載およびこれらの例から、当業者は、この発明の基礎的な特徴を確認でき、そしてそれらの精神及び範囲を離れることなく、種々の使用および条件に本発明の態様の種々の変化および改変を行うことができる。したがって、本明細書中に示されそして記載されたものに加えて、本発明の態様の種々の改変は、先の記載から当業者に明らかであろう。そうした改変はまた、付属の請求項の範囲内にあることを目的とする。
【００５２】
例１
モデルＱ４５Ｈ／６２塩素モニター（ＡＴＩ、Ａｎａｌｙｔｉｃａｌ Ｔｅｃｈｎｏｌｏｇｉｅｓ Ｉｎｃ．、Ｃｏｌｌｅｇｅｖｉｌｌｅ、ＰＡ）を塩素測定システムとして使用し、そして本発明により、ｐＨプローブ、プローブハウジングを通るフローシステムおよびＣｈプローブのｐＨから電気信号を測定可能な信号に変換するコントローラーと組み合わせた。ＡＴＩメートルは、ｐＨの関数としてＣｈプローブの感度における変動を補正ためにｐＨ測定を使用する能力を有する。
【００５３】
ｐＨ補正ありおよびなしで、Ｃｌ２濃度を測定するためのこのシステムの電位を分析した。ｐＨプローブを試験の前に標準化し、そしてＣｈプローブを、ヨウ素還元滴定法を使用してＣｌ２濃度のために滴定したｐＨ７．０の溶液を用いて標準化した。
【００５４】
【表１】
0005856160.tif 000002
【００５５】
【表２】
0005856160.tif 000003
【００５６】
【表３】
0005856160.tif 000004
【００５７】
例２
１５グレインの市中水および０グレインの逆浸透水への電解液添加による影響：水供給源へのＥＯ溶液添加の影響を、濃度の関数として異なる水のタイプを決定するために測定した。種々の体積のＥＯ溶液を、水処理（０.５〜３ｐｐｍ）に使用される範囲およびＣＩＰ用途（１０〜２００ｐｐｍ）で期待される範囲での有効な塩素レベルを達成するために使用した。塩素濃度を、水溶液中の有効な塩素を測定するためにヨウ素還元滴定法を使用して測定した。
【００５８】
【表４】
0005856160.tif 000005
【００５９】
【表５】
0005856160.tif 000006
【００６０】
結果は、水処理に典型的に使用される範囲（０.５〜３ｐｐｍ）より上のレベルで加えられた場合の、ｐＨへのＥＯ溶液の影響を示す。約１０〜約２００ｐｐｍのＥＯ溶液中の平均塩素含有量等の塩素濃度が増加するにつれて、溶液のｐＨが上昇する。塩素センサーの感度により、次亜塩素酸（塩素）のｐＫａによるｐＨの変化させる結果は大幅であった。さらに、ＥＯ溶液の影響は、水のタイプ（すなわち、硬水水対逆浸透水）により変化した。逆浸透水供給源の使用は、塩素の増加量を有する硬水供給源に比較して大きなｐＨの変化となった。
【００６１】
異なる塩素含有量を有する水供給源の品質およびＥＯ溶液の投薬量の速度の結果として、（塩素種を検出するために一定のｐＨ範囲に依存する塩素センサーの使用と相容れない）ｐＨにおける変化が示されたことで、本発明による制御システムの必要性が確認された。図５および図６は、塩素を含有するＥＯ溶液に当量の塩素（すなわち、１０〜２００ｐｐｍ）を添加して観察されたｐＨ変化の劇的な増加が、塩素監視の欠陥を克服するために、一貫しかつ正確な塩素検出のためのｐＨ制御への必要性を示すことを示す。
【００６２】
例３
膜で覆われたポーラログラフセンサーおよびコントローラーへのｐＨの影響：
塩素濃度へのセンサーの応答に対するｐＨの影響を決定するために、ポーラログラフセンサーの応答を分析した。モデルＱ４５Ｈ/６２塩素モニター（ＡＴＩ、Ａｎａｌｙｔｉｃａｌ Ｔｅｃｈｎｏｌｏｇｉｅｓ Ｉｎｃ．、Ｃｏｌｌｅｇｅｖｉｌｌｅ、ＰＡ）を、ｐＨ範囲を変化させてテストし、そしてセンサーの応答への影響を決定するために使用した。
【００６３】
（平均Ｃｌ２を滴定した）水を含有する固定濃度のＥＯ水の溶液を、ＡＴＩメートルでの塩素電極を含むチャンバーを通る流れを通して循環させた。チャンバーを通る流れはまた、プローブの塩素への応答と伴に、試験溶液のｐＨを監視するためにｐＨプローブを含んでいた。
【００６４】
塩素プローブを、５０ｐｐｍの有効塩素および７.０のｐＨでＥＯの溶液に較正した。０.１Ｍ  ＮａＯＨまたは０.１Ｍ  ＨＣ１それぞれを用いて、ＥＯ溶液のｐＨを上にまたは下に調整した。この溶液の追加による体積の全体的な変化は、電極の応答における任意の変化がｐＨのシフトに完全に基づくことを確かにする１％未満であった。実験を３つの異なる濃度、３０、５０および７０ｐｐｍの平均塩素濃度で行った。水中の平均塩素のためのヨウ素還元法を使用して試験の開始と終了時に、塩素濃度を滴定した。
【００６５】
【表６】
0005856160.tif 000007
【００６６】
【表７】
0005856160.tif 000008
【００６７】
【表８】
0005856160.tif 000009
【００６８】
結果は、（ｐＨ約５〜約７の好ましい範囲より上または下の外側に）ＥＯ溶液のｐＨがシフトするので、市販されている塩素センサーに大幅な誤差があることを示す。ｐＨの変化は、ＥＯ溶液の希釈に使用される水の品質、および／または溶液中の塩素の量に基づくことができる。結果は、平均塩素濃度が増加するにつれて、塩素センサーにおける誤差が増加することを示し、電解的に生成された塩素溶液からの塩素濃度が約１０ｐｐｍ〜約２００ｐｐｍである場合、本発明による制御システムが必要であることを示す。
【００６９】
例４
ＣＯ２の添加有りおよびなしでの種々のｐＨにおけるＥＯ溶液への塩素センサーの応答：「Ｏｘ槽」電解槽を適合させたＭＩＯＸ  Ｓａｌ−８０  ｇｅｎｅｒａｔｏｒにより、生成されたＥＯ濃縮物から、４０ｐｐｍの有効塩素濃度まで、ＥＯ水の貯蔵液を調合した。塩素濃度を、塩素を測定するヨウ素還元法を使用して測定した。
【００７０】
４０ｐｐｍのＥＯ溶液は、７.５の生のｐＨを有し、そして塩素センサーおよび（あらかじめ較正された）ｐＨプローブの両方を含むチャンバーを通してポンプで送られた。混合ティーにおいて６００ｍｌ/分の速度で４０ｐｐｍのＥＯ溶液を制御システムに導入した。約３００ｍｌ/分のＣＯ２流量に関連して６．１０に溶液のｐＨを下げる速度で、ＣＯ２ガスを混合ティーに弱酸性物として加えた。６.１０の溶液ｐＨで、塩素プローブを較正し、４０ｐｐｍの塩素として測定した信号を出力した。
【００７１】
ＣＯ２を次に止め、そしてＥＯ溶液のｐＨをｐＨ７.５に戻した。ＣＯ２を元に戻した際、ｐＨは再び塩素プローブコントローラーによって示されるｐｐｍの塩素が測定される６.１に下がった。ＣＯ２を再び止めて、ＥＯ溶液のｐＨを７．５に戻した。この点で、ＥＯ溶液に少量の５.０％  ＮａＯＨを加えて、ｐＨを８.３５に増加させた。槽を通る流れを通してこの溶液をポンプで送り、そしてプローブによって測定された塩素濃度およびｐＨを、チャンバー中で記録した。混合ティーにＣＯ２を注入するために、ＣＯ２を再度流した。ＣＯ２の流量制御を、ｐＨ７.５からｐＨ６.１に下げるのに必要な速度から変化させなかった。ｐＨを安定化させた塩素センサー値およびｐＨを記録した。
【００７２】
９．３５のｐＨを与えるＥＯ溶液にさらに５.０％  ＮａＯＨ溶液を加えて、試験を３回繰り返した。流量を変化させることなく、再度ＣＯ２を混合室に加えた。塩素プローブによって測定された塩素の濃度を、生のおよびＣＯ２を加えたｐＨ条件の両方で記録した。
【００７３】
【表９】
0005856160.tif 000010
【００７４】
最終の試験として、８.３５のｐＨで、その流量が約１０００ｍｌ/分となるように、ＣＯ２値を開いた。これらの流れ条件下で、ｐＨは、５.５に下がり、そして測定された塩素値は４４.０ｐｐｍであった。
【００７５】
結果は、ＣＩＰ用途の目的に好適な所望のｐＨおよび塩素含有量を有する目標とされた電解溶液を提供するための本発明の制御システムの能力を示す。示されているように、制御システムは、フィードバックループまたは他の調整手段を必要としない。むしろ、ＣＩＰ用途のための電解溶液中で所望の塩素含有量を提供するためのハンズフリーの制御手段が本発明により提供される。
【００７６】
本発明は、このように記載され、同じことが多くの様式で変化できることが明らかであろう。そうした変化は、本発明の精神及び範囲から逸脱しているとみなされず、そしてそうした改変は、以下の請求項の範囲内に含まれることを目的とする。
（態様）
（態様１）
電解的に生成された塩素オキシアニオンの溶液を利用する自動再循環または単一経路クリーニング用途で使用する制御システムであって、
（ａ）電解溶液と、
（ｂ）塩素センサーと流体連通して接続された該電解溶液の第１の部分と、
（ｃ）該電解溶液の第１の部分と流体連通して接続され、約１０ｐｐｍ〜１０００ｐｐｍの塩素オキシアニオン濃度の正確な測定を可能にするｐＨ調整剤と、
（ｄ）該クリーニング用途への生成物と、
を含む、システム。
（態様２）
該電解溶液が、食品または飲料加工装置をクリーニングまたは殺菌するために使用される、態様１に記載の制御システム。
（態様３）
該電解溶液が、編織布または洗濯物処理装置をクリーニングまたは殺菌するために使用される、態様１〜２のいずれか一項に記載の制御システム。
（態様４）
該電解溶液が、施設の皿、ガラス、銀製食器または他の食品の調理および取り扱い装置をクリーニングまたは殺菌するために使用される、態様１〜３のいずれか一項に記載の制御システム。
（態様５）
該電解溶液が、なんらかの電解的に生成された塩素オキシアニオン源である、態様１〜４のいずれか一項に記載の制御システム。
（態様６）
該塩素オキシアニオン濃度が、約１０ｐｐｍ〜２００ｐｐｍである、態様１〜５のいずれか一項に記載の制御システム。
（態様７）
該電解溶液が、約５〜約１１の初期ｐＨを有する、態様１〜６のいずれか一項に記載の制御システム。
（態様８）
該ｐＨ調整剤を提供するために、該電解溶液の第１の部分に流体連通して接続された流量制御弁をさらに含む、態様１〜７のいずれか一項に記載の制御システム。
（態様９）
該電解溶液の第１の部分のｐＨを約５.５〜約７.５に調整するために、該ｐＨ調整剤が固定速度で該塩素センサーと連通した該電解溶液の第１の部分に加えられる、態様１〜８のいずれか一項に記載の制御システム。
（態様１０）
該ｐＨ調整剤が、二酸化炭素ガスである、態様１〜９のいずれか一項に記載の制御システム。
（態様１１）
該ｐＨ調整剤が、アルカリ性のｐＨ緩衝剤溶液である、態様１〜１０のいずれか一項に記載の制御システム。
（態様１２）
該ｐＨ調整剤が、酸性のｐＨの緩衝剤溶液である、態様１〜１１のいずれか一項に記載の制御システム。
（態様１３）
該ｐＨ調整剤が、中性のｐＨ緩衝剤溶液である、態様１〜１２のいずれか一項に記載の制御システム。
（態様１４）
該制御システムが、該ｐＨ調整剤または電解溶液の流量の調整なしで、該電解溶液の第１の部分のｐＨを、０.７５ｐＨ単位以下のｐＨ範囲内に維持する、態様１〜１３のいずれか一項に記載の制御システム。
（態様１５）
該制御システムが、該ｐＨ調整剤または電解溶液の流量の調整なしで、該電解溶液の第１の部分のｐＨを、０.５ｐＨ単位以下のｐＨ範囲内に維持する、態様１〜１４のいずれか一項に記載の制御システム。
（態様１６）
該制御システムが、該ｐＨ調整剤または電解溶液の流量の調整なしで、該電解溶液の第１の部分のｐＨを、０.２５ｐＨ単位以下のｐＨ範囲内に維持する、態様１〜１５のいずれか一項に記載の制御システム。
（態様１７）
該電解溶液を生成できる電気化学セルをさらに含む、態様１〜１６のいずれか一項に記載の制御システム。
（態様１８）
該電解溶液の第１の部分および該塩素センサーに流体連通して接続されたｐＨプローブをさらに含む、態様１〜１７のいずれか一項に記載の制御システム。
（態様１９）
目標設定点を達成するために、該システムへの電解溶液または水のさらなる追加を可能にする流量制御に流体連通して接続されたフィードバック制御ループをさらに含む、態様１〜１８のいずれか一項に記載の制御システム。
（態様２０）
約５.５〜７.５のｐＨを達成するために、該電解溶液の第１の部分へのｐＨ調整剤のさらなる追加を可能にする流量制御に流体連通して接続されたフィードバック制御ループをさらに含む、態様１〜１９のいずれか一項に記載の制御システム。
（態様２１）
電解的に生成された塩素オキシアニオンの溶液を利用する自動再循環または単一経路クリーニングシステムで使用される制御システムであって、
（ａ）電解溶液のｉｎ ｓｉｔｕ生産のための電気化学セルであって、該電解溶液の第１の部分が塩素センサーと流体連通しているセルと、
（ｂ）約１０ｐｐｍ〜１０００ｐｍの塩素オキシアニオン濃度の正確な測定を可能にするために、該電解溶液の第１の部分のｐＨの改変のための該電解溶液の第１の部分と流体連通している二酸化炭素供給源と、
（ｃ）該クリーニングシステムに電解溶液を送達するためのシステム出力と、
を含む、システム。
（態様２２）
該システム出力が、食品または飲料加工装置をクリーニングまたは殺菌するための電解溶液を送達する、態様２１に記載の制御システム。
（態様２３）
該システム出力が、施設の皿、ガラス、銀製食器または他の食品の調理、取り扱いおよび提供装置をクリーニングまたは殺菌するための電解溶液を送達する、態様２１〜２２のいずれか一項に記載の制御システム。
（態様２４）
該システム出力が、編織布または洗濯物処理装置をクリーニングまたは殺菌するための電解溶液を送達する、態様２１〜２３のいずれか一項に記載の制御システム。
（態様２５）
該電解溶液が、約１０ｐｐｍ〜約２００ｐｐｍの塩素含有量を有する、態様２１〜２４のいずれか一項に記載の制御システム。
（態様２６）
該電解溶液が、約５〜約１１の初期ｐＨを有する、態様２１〜２５のいずれか一項に記載の制御システム。
（態様２７）
該電解溶液の第１の部分が、約５.５〜約７.５のｐＨに調整される、態様２１〜２６のいずれか一項に記載の制御システム。
（態様２８）
該制御システムが、該二酸化炭素または電解溶液の流量の調整なしで、該電解溶液の第１の部分のｐＨを、０．７５ｐＨ単位以下のｐＨ範囲内に維持する、態様２１〜２７のいずれか一項に記載の制御システム。
（態様２９）
該制御システムが、該二酸化炭素または電解溶液の流量の調整なしで、該電解溶液の第１の部分のｐＨを、０．５ｐＨ単位以下のｐＨ範囲内に維持する、態様２１〜２８のいずれか一項に記載の制御システム。
（態様３０）
該制御システムが、該二酸化炭素または電解溶液の流量の調整なしで、該電解溶液の第１の部分のｐＨを、０．２５ｐＨ単位以下のｐＨ範囲内に維持する、態様２１〜２９のいずれか一項に記載の制御システム。
（態様３１）
該電解溶液の第１の部分のｐＨを、約５.５〜約７.５のｐＨに調整するために、該二酸化炭素が固定速度で提供される、態様２１〜３０のいずれか一項に記載の制御システム。
（態様３２）
ｐＨ改変のための該二酸化炭素を提供するために、該電解溶液の第１の部分に流体連通して接続された流量制御弁をさらに含む、態様２１〜３１のいずれか一項に記載の制御システム。
（態様３３）
該電解溶液の第１の部分および該塩素センサーに流体連通して接続されたｐＨプローブをさらに含む、態様２１〜３２のいずれか一項に記載の制御システム。
（態様３４）
目標設定点を達成するために、該システムへの電解溶液または水のさらなる追加を可能にする流量制御弁に流体連通して接続されたフィードバック制御ループをさらに含む、態様２１〜３３のいずれか一項に記載の制御システム。
（態様３５）
該クリーニングシステム中で使用される該電解溶液中のオキシクロロ種のターゲット濃度を達成するために、該流量制御値が操作されることができる、態様２１〜３４のいずれか一項に記載の制御システム。
（態様３６）
自動再循環または単一経路クリーニングシステムで使用される電解溶液の塩素オキシアニオン濃度を測定するための制御システムであって、
（ａ）電解溶液を生成するために使用される電解溶液濃縮物および希釈水供給源と、
（ｂ）該電解溶液の第１の部分に流体連通して接続された塩素センサーと、
（ｃ）約１０ｐｐｍ〜１０００ｐｐｍの塩素オキシアニオン濃度の正確な測定を可能にする該電解溶液の第１の部分に流体連通して接続された該電解溶液の第１の部分のｐＨを、約５.５〜７.５に制御できるｐＨ調整剤と、
（ｄ）該電解溶液中の該塩素オキシアニオン濃度を調整するために、該塩素センサー測定に基づいて開始されるフィードバックループメカニズムと、
を含む、システム。
（態様３７）
該電解溶液を生成するために使用される該電解溶液濃縮物の供給源および希釈水の供給源が、電解槽である、態様３６に記載の制御システム。
（態様３８）
該電解溶液濃縮物の供給源が、貯蔵容器である、態様３６〜３７のいずれか一項に記載の制御システム。
（態様３９）
該電解溶液が、約５〜約１１の初期ｐＨを有する、態様３６〜３８のいずれか一項に記載の制御システム。
（態様４０）
該制御システムが、該ｐＨ調整剤または電解溶液の流量の調整なしで、該電解溶液の第１の部分のｐＨを、０．７５ｐＨ単位以下のｐＨ範囲内に維持する、態様３６〜３９のいずれか一項に記載の制御システム。
（態様４１）
該制御システムが、該ｐＨ調整剤または電解溶液の流量の調整なしで、該電解溶液の第１の部分のｐＨを、０．５ｐＨ単位以下のｐＨ範囲内に維持する、態様３６〜４０のいずれか一項に記載の制御システム。
（態様４２）
該制御システムが、該ｐＨ調整剤または電解溶液の流量の調整なしで、該電解溶液の第１の部分のｐＨを、０．２５ｐＨ単位以下のｐＨ範囲内に維持する、態様３６〜４１のいずれか一項に記載の制御システム。
（態様４３）
該ｐＨ調整剤が、二酸化炭素ガスの供給源であり、そして該電解溶液の第１の部分のｐＨを調整するために、固定速度で提供される、態様３６〜４２のいずれか一項に記載の制御システム。
（態様４４）
該電解溶液の第１の部分および該塩素センサーに流体連通して接続されたｐＨプローブをさらに含む、態様３６〜４３のいずれか一項に記載の制御システム。
（態様４５）
電解溶液、電解溶液濃縮物または希釈水のさらなる追加を可能にする流量制御弁に流体連通して接続されたフィードバック制御ループをさらに含む、態様３６〜４４のいずれか一項に記載の制御システム。
（態様４６）
該クリーニングシステム中で使用される該電解溶液中のオキシクロロ種のターゲット濃度を達成するために、該流量制御値が操作される、態様３６〜４５のいずれか一項に記載の制御システム。
（態様４７）
該回路制御が該塩素オキシアニオン濃度によって始動される回路制御と連通して接続されたフィードバック制御ループをさらに含む、態様３６〜４６のいずれか一項に記載の制御システム。
（態様４８）
自動再循環または単一経路クリーニングシステムのための電解的に生成された塩素オキシアニオンを使用するクリーニングまたは殺菌のための方法であって、
（ａ）態様３６に記載の制御システムから電解溶液を得る工程と、
（ｂ）該クリーニングシステムに該電解溶液を適用する工程と、
を含む、方法。
（態様４９）
該電解溶液としての使用のためのオンサイト電解溶液を生成する工程をさらに含む、態様４８に記載のＣＩＰクリーニングまたは殺菌方法。
（態様５０）
該電解溶液が、なんらかの電解的に生成された塩素オキシアニオン源である、態様４８〜４９のいずれか一項に記載のＣＩＰクリーニングまたは殺菌方法。
（態様５１）
水供給源で該電解溶液を希釈する工程をさらに含む、態様４８〜５０のいずれか一項に記載のＣＩＰクリーニングまたは殺菌方法。
（態様５２）
該電解溶液との接触後に該クリーニングシステムをすすぐ工程をさらに含む、態様４８〜５１のいずれか一項に記載のＣＩＰクリーニングまたは殺菌方法。
（態様５３）
自動再循環または単一経路クリーニングシステムにおいて、電解的に生成された塩素オキシアニオンを使用する抗菌処理のための方法であって、
（ａ）電解溶液を生成するために水中で電解濃縮物を希釈する工程であって、該電解溶液中での塩素オキシアニオンの該濃度が、態様３６の該制御システムを用いて測定される工程と、
（ｂ）抗菌処理を必要とする該クリーニングシステムに該電解溶液を適用する工程と、
を含む、方法。
（態様５４）
該電解溶液が、５〜約１１の範囲内のｐＨを有する、態様５３に記載の抗菌処理方法。
（態様５５）
該制御システムが、該ｐＨ調整剤または電解溶液の流量の調整なしで、該電解溶液の測定された部分のｐＨを、０．７５ｐＨ単位以下のｐＨ範囲内に維持する、態様５３〜５４のいずれか一項に記載の抗菌処理方法。
（態様５６）
該制御システムが、該ｐＨ調整剤または電解溶液の流量の調整なしで、該電解溶液の測定された部分のｐＨを、０．５ｐＨ単位以下のｐＨ範囲内に維持する、態様５３〜５５のいずれか一項に記載の抗菌処理方法。
（態様５７）
該制御システムが、該ｐＨ調整剤または電解溶液の流量の調整なしで、該電解溶液の測定された部分のｐＨを、０．２５ｐＨ単位以下のｐＨ範囲内に維持する、態様５３〜５６のいずれか一項に記載の抗菌処理方法。
（態様５８）
該電解溶液の測定された部分のｐＨを調整するために、該ｐＨ調整剤が固定速度で提供される、態様５３〜５７のいずれか一項に記載の抗菌処理方法。
（態様５９）
該ｐＨ調整剤が、二酸化炭素ガスの供給源である、態様５３〜５８のいずれか一項に記載の抗菌処理方法。
（態様６０）
電解溶液および該塩素センサーの該測定された部分に流体連通して接続されたｐＨプローブをさらに含む、態様５３〜５９のいずれか一項に記載の抗菌処理方法。
（態様６１）
該クリーニングシステムで使用される目標とされる塩素オキシアニオン濃度を得るために、電解溶液の再循環または追加を可能にする流量制御弁に流体連通して接続されたフィードバック制御ループメカニズムをさらに含む、態様５３〜６０のいずれか一項に記載の抗菌処理方法。
（態様６２）
該回路制御が該塩素オキシアニオン濃度によって始動される回路制御と連通して接続されたフィードバック制御ループメカニズムをさらに含む、態様５３〜６１のいずれか一項に記載の抗菌処理方法。
（態様６３）
電解槽から電解溶液をｉｎ ｓｉｔｕで生成することをさらに含む、態様５３〜６２のいずれか一項に記載の抗菌処理方法。
（態様６４）
該クリーニングシステムが、食品または飲料加工装置、編織布または洗濯物処理装置、複数の皿、ガラス、銀製食器および他の食品の調理、取り扱いまたは提供装置、およびそれらの組み合わせからなる群から選択される、態様５３〜６３のいずれか一項に記載の抗菌処理方法。
【図１】
0005856160.tif 000011
【図２】
0005856160.tif 000012
【図３】
0005856160.tif 000013
【図４】
0005856160.tif 000014
【図５】
0005856160.tif 000015
【図６】
0005856160.tif 000016